(57)【要約】【課題】横置き立体タイプ又はフラットタイプの合掌部分付きの合成樹脂製袋体において、利用者への利便性を向上させた合成樹脂製袋体を提供する。【解決手段】表裏２枚の胴部フィルム１ａ、１ｂの間の両側部にガゼットフィルム４が介在され若しくはガゼットフィルムが介在されないでサイドシール２し前記胴部フィルム１ａ、１ｂより延長した合掌部分３を内容物の取り出し口とした合掌部分付きの合成樹脂製袋体において、合掌部分３の基部両側又は片側の合掌部分長手方向に沿って、合掌部分３の基部と胴部フィルム１ａ、１ｂとに渡って合成樹脂製形状保持テープ５を施し、合掌部分３の開口時に合成樹脂製形状保持テープ５により広い開口状態に維持するようにした。また、不透明な遮光性胴部フィルムからなる袋体において、合掌部分３の近傍の片側の胴部フィルム１ａ、１ｂに透明な小窓６を形成し、合掌部分３を小窓６側に倒して小窓６を閉塞するようにした。【選択図】図１
2008290764.tif 000002
【特許請求の範囲】
【請求項１】
表裏２枚の胴部フィルムの間の両側部にガゼットフィルムが介在され若しくはガゼットフィルムが介在されないでサイドシールし前記胴部フィルムより延長し前記胴部フィルムの上面中央で直立する合掌部分を内容物の取り出し口とした合掌部分付きの合成樹脂製袋体において、前記合掌部分の基部両側又は片側の合掌部分長手方向に沿って、前記合掌部分の基部と胴部フィルムとに渡って合成樹脂製形状保持テープを施し、合掌部分の開口時に前記合成樹脂製形状保持テープにより広い開口状態に維持するようにしたことを特徴とする合成樹脂製袋体。
【請求項２】
表裏２枚の不透明な遮光性胴部フィルムの間の両側部にガゼットフィルムが介在され若しくはガゼットフィルムが介在されないでサイドシールし前記胴部フィルムより延長し前記胴部フィルムの上面中央で直立する合掌部分を内容物の取り出し口とした合掌部分付きの合成樹脂製袋体において、前記合掌部分の基部両側又は片側の合掌部分長手方向に沿って、前記合掌部分の基部と胴部フィルムとに渡って合成樹脂製形状保持テープを施すと共に、前記合掌部分の近傍の片側の胴部フィルムに透明な小窓を形成し、前記合掌部分を前記小窓側に倒して合掌部分にて前記小窓を閉塞し、前記合成樹脂製形状保持テープにより前記小窓の閉塞状態を維持するようにしたことを特徴とする合成樹脂製袋体。
【発明の詳細な説明】
【技術分野】
【０００１】
本発明は、合成樹脂製袋体の胴部より延長した合掌部分を内容物の取り出し口とした形態の合成樹脂製袋体に関するものである。
【背景技術】
【０００２】
食品等の包装袋において、図４（イ）で示すように、表裏２枚の胴部フィルム１ａ、１ｂの間の両側部にガゼットフィルム４が介在されサイドシール２し前記胴部フィルム１ａ、１ｂより延長し前記胴部フィルム１ａ、１ｂの上面中央で直立する合掌部分を３を内容物の取り出し口とした横置き立体タイプの合掌部分付きの合成樹脂製袋体が提供されている。また、図４（ロ）で示すように、表裏２枚の胴部フィルム１ａ、１ｂより延長し前記胴部フィルム１ａ、１ｂの上面中央で直立する合掌部分３を内容物の取り出し口とした横置きフラットタイプの合掌部分付きの合成樹脂製袋体が提供されている。
【０００３】
この合掌部分付きの合成樹脂製袋体は、開口部となる合掌部分は常に閉じる方向に弾性復元を有しているため、開口時には袋口が狭くなることが避け難く、袋口から内容物をスムーズに取り出し難いという問題があった。
【０００４】
また、内容物を紫外線や蛍光灯等の光による変色や品質劣化、酸化劣化を防ぐため、胴部フィルム１ａ、１ｂは着色遮光フィルムが用いられており、そのため、袋体の外部から内容物を透視することができず、事前に必要以上の内容物の量を取り出し、余剰の取り出し分を袋内に戻したりする不都合があった。
【特許文献１】特開平８−９１４２９公報
【特許文献２】特開平１１−１２４６公報公報
【特許文献３】特開２００６−３３５４２０公報
【発明の開示】
【発明が解決しようとする課題】
【０００５】
本発明は、横置き立体タイプ又はフラットタイプの合掌部分付きの合成樹脂製袋体において、利用者への利便性を向上させた合成樹脂製袋体を提供することである。
【課題を解決するための手段】
【０００６】
上記の課題を解決するための本発明は、請求項１に記載の通り、表裏２枚の胴部フィルムの間の両側部にガゼットフィルムが介在され若しくはガゼットフィルムが介在されないでサイドシールし前記胴部フィルムより延長し前記胴部フィルムの上面中央で直立する合掌部分を内容物の取り出し口とした合掌部分付きの合成樹脂製袋体において、前記合掌部分の基部両側又は片側の合掌部分長手方向に沿って、前記合掌部分の基部と胴部フィルムとに渡って合成樹脂製形状保持テープを施し、合掌部分の開口時に前記合成樹脂製形状保持テープにより広い開口状態に維持するようにしたことを特徴とするものである。
【０００７】
請求項２に記載の通り、表裏２枚の不透明な遮光性胴部フィルムの間の両側部にガゼットフィルムが介在され若しくはガゼットフィルムが介在されないでサイドシールし前記胴部フィルムより延長し前記胴部フィルムの上面中央で直立する合掌部分を内容物の取り出し口とした合掌部分付きの合成樹脂製袋体において、前記合掌部分の基部両側又は片側の合掌部分長手方向に沿って、前記合掌部分の基部と胴部フィルムとに渡って合成樹脂製形状保持テープを施すと共に、前記合掌部分の近傍の片側の胴部フィルムに透明な小窓を形成し、前記合掌部分を前記小窓側に倒して合掌部分にて前記小窓を閉塞し、前記合成樹脂製形状保持テープにより前記小窓の閉塞状態を維持するようにしたことを特徴とするるものである。
【発明の効果】
【０００８】
本発明によると、合掌部分を左右に広げて開口した時に合成樹脂製形状保持テープによって広い開口状態に維持するため、内容物をスムーズに取り出すことができる。また、前記に加えて、不透明な遮光性よりなる胴部フィルムの袋体の場合、合掌部分の近傍の片側の胴部フィルムに形成した透明な小窓により袋体の外部から内容物を透視することができ、必要量の内容物を取り出すことができる。さらに、この小窓は合掌部分を前記小窓側に倒して塞ぐことにより、内容物を紫外線や蛍光灯等の光による変色や品質劣化を防ぐことができる利便性を有している。
【発明を実施するための最良の形態】
【０００９】
以下本発明を実施するための最良の形態を図面に基づいて説明する。図１において、１ａ、１ｂは表裏２枚の胴部フィルムであり、この表裏２枚の胴部フィルム１ａ、１ｂの間の両側部にガゼットフィルム４が介在されサイドシール２し前記胴部フィルム１ａ、１ｂより延長した合掌部分３を内容物の取り出し口とした合掌部分付きの合成樹脂製袋体であり、前記合掌部分３の内側にはチャック４が設けられた横置き立体タイプである。尚、胴部フィルム１ａ、１ｂは不透明な遮光性フィルム又は透明フィルムの何れでもよい。
【００１０】
また、図３（イ）で示すように、表裏２枚の胴部フィルム１ａ、１ｂの間の両側部にガゼットフィルムが介在されずに一方の側端をサイドシール２し他方は開放し前記胴部フィルム１ａ、１ｂより延長した合掌部分３を内容物の取り出し口とした合掌部分付きの合成樹脂製袋体であり、前記合掌部分３の内側にはチャック４が設けられた横置きフラットタイプである。これも胴部フィルム１ａ、１ｂは不透明な遮光性フィルム又は透明フィルムの何れでもよい。
【００１１】
本発明は上記の構造の横置き立体タイプ又は横置きフラットタイプの合掌部分付きの合成樹脂製袋体において、前記合掌部分３の基部両側又は片側の合掌部分長手方向に沿って、前記合掌部分３の基部と胴部フィルム１ａ、１ｂとに渡って合成樹脂製形状保持テープ５を施したものである。この合成樹脂製形状保持テープ５は、ポリエチレン又はポリプロピレン等のポリオレフインが好ましく、例えばフォルテ（商品名、積水化学社製、ポリエチレン超延伸シート）がある。
【００１２】
さらに、本発明は上記の構造を備えた横置き立体タイプ又は横置きフラットタイプで不透明な胴部フィルム１ａ、１ｂにより遮光構成の袋体の場合、合掌部分付きの合成樹脂製袋体において、合掌部分３の近傍の片側の胴部フィルム１ａ、１ｂに透明フィルムよりなる小窓６を形成したものである。
【００１３】
尚、意匠性のある商業包装デザインの選択肢として、小窓６を図３（イ）、（ロ）で示すような他任意の形状とすることもできる。
【００１４】
本発明は上記の通りの構造であるから、横置き立体タイプ又は横置きフラットタイプの何れにおいても、合掌部分３を左右に広げて開口した時に合成樹脂製形状保持テープ５は合掌部分３の左右の開口に追従して変形され広い開口状態に維持するため、内容物が脆い場合でも袋口で形崩れすることなくスムーズに取り出すことができる。また、電子レンジの使用による加熱調理時に袋口の開口状態をそのまま保つことができるので、加熱によって発生する袋体内の水蒸気の抜け口を簡易に確保することができる。
【００１５】
前記合成樹脂製形状保持テープ５は、合成樹脂系の非金属材であるため、特に食品包装袋の場合、金属探知機にも対応でき、食品包装袋内に混入した金属を探知して不良品の検知を可能とし、また袋ごと電子レンジによる加熱処理にも使用することができる。
【００１６】
さらに、合掌部分３の近傍の片側の胴部フィルム１ａ、１ｂに透明な小窓６が形成されているため、利用者が袋体の外部から袋体に収納された内容物を容易に視認でき、内容物の必要な量を確認しながら取り出すことができるので、余剰量を取り出して、その分を袋体内に戻すような手間がなくなる。
【００１７】
前記透明フィルムよりなる小窓６は、通常は図２で示すように合掌部分３を小窓６側に倒して合掌部分３にて前記小窓６を塞いで遮光状態にするとができるため、内容物を紫外線や蛍光灯等の光による変色や品質劣化を防止する。
【００１８】
この合掌部分３を小窓６側に倒した時にも合成樹脂製形状保持テープ５は合掌部分３の倒しに追従して変形され小窓６を塞いで小窓６の閉塞状態を保ち続けて遮光状態を維持する。
【００１９】
本発明で構成される合成樹脂製形状保持テープ５は、柔軟性に富むため、合掌部分３の開閉操作や小窓６側への倒し操作及び直立操作は強い力を要することなく簡単に処理することができる。
【００２０】
上記の実施例では、合掌部分３に再開閉可能なチャック４を設けた袋体で説明したが、本発明はチャックなしの袋体にも適用されることを付言する。
【図面の簡単な説明】
【００２１】
【図１】本発明の合成樹脂製袋体の斜視図
【図２】合掌部分を小窓側に倒した状態の斜視図
【図３】本発明の設計変更例を示す斜視図
【図４】従来の合掌部分付きの合成樹脂製袋体の斜視図
【符号の説明】
【００２２】
１ａ    表側胴部フィルム
１ｂ    裏側胴部フィルム
２      サイドシール
３      合掌部分
４      チャック
５      合成樹脂製形状保持テープ
６      小窓
【図１】
2008290764.tif 000003
【図２】
2008290764.tif 000004
【図３】
2008290764.tif 000005
【図４】
2008290764.tif 000006